(57)【要約】      （修正有）【課題】マイターソー上にあり被加工物を支持するフェンスを提供する。【解決手段】被加工材を支持する第1の実質的に水平な表面と、該第1の実質的に水平な表面の下方に配設された第2の実質的に水平な表面とを有する基部１１を有する。上記基部に対して回転可能に取付けられたテーブル１２であって上記第1の実質的に水平な表面と実質的に同一平面となっているテーブル、および、テーブルに対して枢動可能に取付けられたソー・アセンブリも有する。なお、本発明に係るマイターソーは、第2の実質的に水平な表面上に配設された固定フェンス２１であって基部に対して固定的に取付けられた固定フェンスを有する。【選択図】図１
2006306100.tif 000002
【特許請求の範囲】
【請求項１】
被加工材を支持する第1の実質的に水平な表面と、前記第1の実質的に水平な表面の下方に配設された第2の実質的に水平な表面とを有する基部と、
前記基部に対して回転可能に取付けられると共に前記第1の実質的に水平な表面と実質的に同一平面となっているテーブルと、
前記テーブルに対して枢動可能に取付けられたソー・アセンブリであって、モータと、該モータにより駆動されるブレードとを備えるソー・アセンブリと、
前記基部に対して取付けられたフェンス・アセンブリであって、前記第2の実質的に水平な表面上に配設され且つ前記基部に対して固定的に取付けられた固定フェンスを備えるフェンス・アセンブリと、を具備するマイターソー。
【請求項２】
前記ソー・アセンブリは、トラニオンと、該トラニオンに対して枢動可能に取付けられた枢動アームと、該枢動アームに対して接続された上側ブレード・ガードとを更に具備する、請求項１に記載のマイターソー。
【請求項３】
前記モータは、前記上側ブレード・ガードに対して取付けられる、請求項２に記載のマイターソー。
【請求項４】
前記トラニオンは、前記テーブルに対して摺動可能に接続された少なくとも一本のレールに対して取付けられる、請求項２に記載のマイターソー。
【請求項５】
前記ソー・アセンブリは、前記テーブルに対して枢動可能に取付けられたトラニオンと、該トラニオンに対して摺動可能に接続された少なくとも一本のレールと、該少なくとも一本のレールに対して枢動可能に取付けられた枢動アームと、該枢動アームに対して接続された上側ブレード・ガードとを更に具備する、請求項１に記載のマイターソー。
【請求項６】
前記モータは前記上側ブレード・ガードに対して取付けられる、請求項５に記載のマイターソー。
【請求項７】
前記固定フェンス上に配設されて該固定フェンスに対して可動である可動フェンスを更に具備する、請求項１に記載のマイターソー。
【請求項８】
前記可動フェンスは前記固定フェンスに対して摺動する、請求項７に記載のマイターソー。
【請求項９】
前記可動フェンスは第1の実質的に鉛直な被加工材支持平面を有する、請求項７に記載のマイターソー。
【請求項１０】
前記固定フェンスは、前記第1の実質的に鉛直な被加工材支持平面と実質的に同一平面となっている第2の実質的に鉛直な被加工材支持平面を有する、請求項９に記載のマイターソー。
【請求項１１】
前記可動フェンスは、前記固定フェンスに対する位置がネジにより固定可能である、請求項７に記載のマイターソー。
【請求項１２】
前記ネジは、前記第1の実質的に鉛直な被加工材支持平面および前記第1の実質的に水平な表面の少なくとも一方に対して傾斜される、請求項１１に記載のマイターソー。
【請求項１３】
前記ネジは前記第1の実質的に水平な表面に対し、約5°〜約25°の角度にて傾斜される、請求項１２に記載のマイターソー。
【請求項１４】
前記可動フェンスは、前記固定フェンスのチャネル内に受容される下方延在突出部を有する、請求項７に記載のマイターソー。
【請求項１５】
前記固定フェンスからは固定フェンス突出部が前記チャネル内へと延在することから、該固定フェンス突出部は前記可動フェンスの前記突出部の上方に配設される、請求項１４に記載のマイターソー。
【請求項１６】
前記固定フェンス突出部は止めネジである、請求項１５に記載のマイターソー。
【請求項１７】
前記固定フェンスは、前記基部の実質的に鉛直な表面に対して接触する下方延在突出部を有する、請求項１に記載のマイターソー。
【請求項１８】
前記固定フェンスの前記下方延在突出部をネジが貫通延在して前記基部に螺着係合する、請求項１７に記載のマイターソー。
【発明の詳細な説明】
【技術分野】
【０００１】
本出願は、2005年4月25日に出願された米国特許出願第60/674,634号からの優先権に由来する。
【０００２】
本発明は概してマイターソー(miter saw；マイター鋸装置)に関し、特にマイターソー用のフェンス配置機構(fence arrangement)に関する。
【背景技術】
【０００３】
マイターソー上にフェンスを配備し、該フェンスに当接して配設された被加工材を支持することは知られている。フェンスは、米国特許第5,297,463号および米国特許第5,943,931号に開示された如く、固定部分と、該固定部分上に摺動可能に配設された摺動可能部分とを有する。
【発明の開示】
【発明が解決しようとする課題】
【０００４】
斯かるフェンスの改良が望まれている。
【課題を解決するための手段】
【０００５】
本発明に依れば、改良されたマイターソーが提供される。該マイターソーは、被加工材を支持する第1の実質的に水平な表面と、前記第1の実質的に水平な表面の下方に配設された第2の実質的に水平な表面とを有する基部と；
前記基部に対して回転可能に取付けられると共に前記第1の実質的に水平な表面と実質的に同一平面となっているテーブルと；
前側位置と後側位置との間で可動であるソー・アセンブリであって、トラニオンと、該トラニオンに対して枢動可能に取付けられた枢動アームと、該枢動アームに対して接続された上側ブレード・ガードと、該上側ブレード・ガードに対して取付けられたモータと、該モータにより駆動されるブレードとを備えるソー・アセンブリと；
前記基部に対して取付けられたフェンス・アセンブリであって、前記第2の実質的に水平な表面上に配設され且つ前記基部に対して固定的に取付けられた固定フェンスを備えるフェンス・アセンブリと；を具備する。
【０００６】
また、前記ソー・アセンブリは、前記テーブルに対して枢動可能に取付けられたトラニオンと、該トラニオンに対して摺動可能に接続された少なくとも一本のレールと、該少なくとも一本のレールに対して枢動可能に取付けられた枢動アームと、該枢動アームに対して接続された上側ブレード・ガードとを具備してもよい。
【０００７】
本発明の付加的な特徴および利点は、記述されると共に、添付図面および以下の詳細な説明から明らかとなろう。
【０００８】
添付図面は、本発明の原理の実践的な適用に係る本発明の好適な実施形態を示している。
【発明を実施するための最良の形態】
【０００９】
本発明は、同様の参照番号が同様の部材を表すという添付図面を参照して説明される。本発明は、マイターソー、チョップソー(chop saw)、複合マイターソー、スライド・マイターソーなどに取入れられ得る。便宜のために、本発明はスライド・マイターソーに適用されたものとして記述される。但し当業者であれば、他の動力工具に対する本発明の適用可能性を認識すべきである。
【００１０】
図１および図２を参照するとスライド・マイターソー10は、基部11と、該基部11に取付けられた回転可能テーブル12と、ソー・アセンブリとを有し、該アセンブリは、トラニオン16に対して枢動可能に取付けられた枢動アーム17Aと、モータ20と、該モータ20により駆動されるブレード19と、該ブレード19の上部を覆う上側ブレード・ガード17と、該上側ブレード・ガード17に対して枢動可能に取付けられてブレード19の下部を覆う下側ブレード・ガード18とを備える。モータ20は典型的には、上側ブレード・ガード17に対して取付けられる。
【００１１】
スライド・マイターソー10はまた、基部11に対して取付けられた可動フェンス・アセンブリ20も有する。可動フェンス・アセンブリ20は好適にはテーブル12の一端から他端にわたり延在し、被加工材は該テーブル上での切断作業を実施するために該アセンブリに当接して位置決め且つ支持され得る。可動フェンス・アセンブリ20は好適には、基部11に対して取付けられた固定フェンス21と、該固定フェンス21に対して接続された可動フェンス22とを有する。可動フェンス22は、固定フェンス21に対して摺動可能に取付けられ得る。斯かる可動フェンス・アセンブリに関する更なる情報に対し、当業者においては、言及したことにより本明細書中に全体的に援用される米国特許第5,297,463号および米国特許第5,943,931号を参照されたい。
【００１２】
スライド・マイターソー10はまた、使用者がソー・アセンブリをテーブル12に沿い水平に移動することを可能とするメカニズムも有し得る。図１を参照するとスライド・マイターソー10はこれを、テーブル12に接続された支持ハウジング14に対して摺動可能に取付けられた少なくとも一本のレール15に対し、ソー・アセンブリを接続することにより達成する(たとえば言及したことにより本明細書中に援用される米国特許第6,067,885号を参照)。
【００１３】
代替的に、図２に示された如く、テーブル12に対して少なくとも一本のレール15が摺動可能に接続され得る。その場合に支持ハウジング14は、上記少なくとも一本のレール15に対して固定的に取付けられる。これに加え、支持ハウジング14はトラニオン16に対して取付けられる。たとえば、言及したことにより本明細書中に援用される米国特許第5,054,352号を参照されたい。
【００１４】
別の配置機構は、言及したことにより本明細書中に全体的に援用される米国特許第5,862,732号に開示されており、その場合にレール15はテーブル12に対して固定的に取付けられ、且つ、支持ハウジング14(およびソー・アセンブリ)はレール15に沿い摺動する。
【００１５】
斯かる配置機構によると使用者は、ソー・アセンブリを前方に引張り、該ソー・アセンブリを下方に移動させてから、該ソー・アセンブリを後方に押して被加工材を切断する。
【００１６】
図１から図３を参照すると、可動フェンス22および／または固定フェンス21は、被加工材を支持するフェンス平面FPを画成する。好適には、固定フェンス21および可動フェンス22は実質的に同一平面となっている。フェンス平面FPは好適には、実質的に鉛直である。
【００１７】
これに加え、基部11および／またはテーブル12は、被加工材を支持する水平面HPを画成する。好適には、基部11およびテーブル12は実質的に同一平面となっている。
【００１８】
図３を参照すると基部11は好適には、水平面HPの下方に配設された第2水平面HP2を画成する。水平面HP、HP2間には、ショルダ（肩部）11Sが配設され得る。固定フェンス21は好適には、第2水平面HP2上に、且つ／又は、ショルダ11Sに当接して配設される。固定フェンス21を基部11に対して固着するために、少なくとも一個のネジ21Sが使用され得る。少なくとも一個のネジ21Sは好適には、固定フェンス21に対して埋頭される。
【００１９】
当業者であれば、図３におけるネジ21Sは実質的に鉛直な軸心を有することを認識し得よう。図４は可動フェンス・アセンブリ20の第２実施形態を示しており、同様の参照番号は同様の部材を表している。上記第1および第2実施形態間の唯一の主な違いは、固定フェンス21が下方延在フランジ21Fを有し得ることである。好適にはフランジ21Fは、実質的に鉛直に延在し、且つ、実質的に鉛直な平面VPおよび／または水平面HP3に沿い基部11に接触する。少なくとも一個のネジ21Sは、フランジ21Fを貫通延在して基部11に螺着係合し得る。
【００２０】
図３を参照すると、可動フェンス22は固定フェンス21上に摺動可能に配設される。好適には可動フェンス22は、固定フェンス21により形成されたチャネル21C内へと延在する下方延在突出部22Pを有する。
【００２１】
使用者は、可動フェンス22を固定フェンス21に沿い移動させることができる。可動フェンス22の位置を固定フェンス21に対して固定するために、使用者は、突出部22Pを押圧して固定フェンス21と締着接触させるロック・ネジ23を回転させる。
【００２２】
ネジ23の長手軸心は、水平面HPおよび／またはフェンス平面FPに対して傾斜され得る。ネジ23の長手軸心と水平面HPとの間の角度Aは、約5°〜約25°とされる。好適には、角度Aは約10°である。
【００２３】
好適には、突出部22Pにはチャネル22Cが形成される。固定フェンス21内には止めネジ24が配設され、チャネル22C内へと延在し得る。当業者であれば、止めネジ24は固定フェンス21内における突出部により置き換えられ得ることを認識し得よう。斯かる配置機構によれば可動フェンス22は、該可動フェンス22を鉛直に揚動させることでは固定フェンス21から取り外され得ない。
【００２４】
当業者であれば、本明細書中に開示された手段に対する他の付加物または代替物を認識し得よう。但しこれらの付加物および／または代替物の全ては、本発明の均等物と見做される。
【図面の簡単な説明】
【００２５】
【図１】第1のスライド・マイターソーの側面図である。
【図２】第2のスライド・マイターソーの側面図である。
【図３】本発明に係るフェンス配置機構の第１実施形態の側面図である。
【図４】本発明に係るフェンス配置機構の第２実施形態の部分側面図である
【符号の説明】
【００２６】
１０    スライド・マイターソー
１１    基部
１２    テーブル
１４    支持ハウジング
１５    レール
１６    トラニオン
２１    固定フェンス
２２    可動フェンス
【図１】
2006306100.tif 000003
【図２】
2006306100.tif 000004
【図３】
2006306100.tif 000005
【図４】
2006306100.tif 000006